(57)【要約】【課題】親機−子機間の通話状態及び子機側の入力手段の入力有無から子機側で人の動きがないことを検出し親機側に異常を報知するインターフォン装置を実現する。【解決手段】音声を入力するマイク４と、相手側の前記マイクから入力された音声を出力するスピーカー３と、操作を行う入力手段５、６と、通話の有無を確認する通話検知手段１７と、前記通話検知手段により子機側から親機側への通話が確認されなくなってからの経過時間を測定するタイマー２１と、前記経過時間と比較を行う所定の時間を記憶する記憶手段２０と、前記経過時間と所定の時間を比較する比較手段１３を有し、これによって所定の時間、前記通話検知手段１７による通話検出や入力手段５、６の入力有り検出がされなかったときは子機側に動きがないと判断し、親機側に報知する。【選択図】図２
2006011500.tif 000002
【特許請求の範囲】
【請求項１】
親機と子機との間で通話を行うインターフォン装置であって、前記インターフォン装置は、音声を入力するマイクと、相手側のマイクから入力された音声や警報音を出力するスピーカーと、操作を行う入力手段と、通話の有無を確認する通話検知手段と、前記通話検知手段により子機側から親機側への通話が確認されなくなってからの経過時間を測定するタイマーと、前記経過時間と比較を行う所定の時間を記憶する記憶手段と、前記経過時間と前記所定の時間とを比較する比較手段を有し、子機側から親機側への通話が確認されなくなってからの経過時間と前記記憶手段に記憶している所定の時間の比較し、前記経過時間が所定の時間を超えると、親機側の前記スピーカーから子機側で異常が発生の旨の報知を行うことを特徴とするインターフォン装置。
【請求項２】
タイマーが測定する経過時間は、通話検知手段により子機側から親機側への通話が確認されたときまたは、前記子機側の入力手段が操作されたときは経過時間をリセットすることを特徴とする請求項１に記載のインターフォン装置。
【請求項３】
インターフォン装置の設定内容を変更する設定内容変更手段を有し、記憶手段に記憶している所定の時間を設定変更することが可能であることを特徴とする請求項１または２に記載のインターフォン装置。
【請求項４】
給湯や風呂の給湯、追いだきを行う燃焼機器を有し、インターフォン装置とは子機は浴室に設置され前記燃焼機器を遠隔操作する浴室リモコンであり、親機は台所やリビングなどに設置され前記燃焼機器を遠隔操作する台所リモコンであることを特徴とする請求項１から３のいずれか１項に記載のインターフォン装置。
【発明の詳細な説明】
【技術分野】
【０００１】
本発明は、親機と子機との間で通話を行うインターフォン装置において、子機側の周囲の音声や子機側での操作を検出して、所定の時間検出しなかった場合には親機側に報知するインターフォン装置に関するものである。
【背景技術】
【０００２】
従来インターフォン装置は、例えば浴室内での人の動きの有無を確認して、人の動きがなくなったときに入浴者や浴室外の家族に異常状態を知らせるインターフォン装置がある。
【０００３】
従来この種のインターフォン装置は、浴室内を監視する人体検出センサと、前記人体検出センサによって人体の動きの停止を検出して警報を発する報知手段とからなるものであって、前記人体検出センサは具体的な詳細の方法には違いがあるが、基本的に赤外線センサ、撮像用のカメラなどを複合的に利用して、所定の時間それらのセンサに変化が見られなければ（つまり浴室内で動きがなければ）、浴室外の家族などに警報を報知するといったものが多い（例えば、特許文献１参照）。
【０００４】
またその他の人体検出の方法としては、浴槽の水位センサの水位上昇の有無と撮像用のカメラなどを複合的に利用して、浴室内の人の動きを検出する方法などもある（例えば、特許文献２参照）。
【特許文献１】特開２００２−３６７０５１号公報
【特許文献２】特開２００４−１０８７８６号公報
【発明の開示】
【発明が解決しようとする課題】
【０００５】
しかし、上述したように、前記従来の構成では、浴室内の人の動きを検出するために人体検出センサである撮像用のカメラや赤外線センサや水位センサなどが必要であり、利用者にとっては新たにカメラや赤外線センサなどを設置しなければならず手間がかかるという課題があった。
【０００６】
また、撮像用のカメラなどは浴室内にカメラが設置されているということが、実際にカメラの画像を浴室外の家族が見ることが出来ないようなシステムになっていたとしても、心理的に圧迫され本来リラックスするはずの入浴でも緊張感を強いられるという課題があった。
【０００７】
また価格がだいぶ下がってきているとはいえ、撮像用のカメラなどは設置に手間がかかるのと同時に価格の面でもまだ高価であるので、利用者にとっては中々導入しにくいというのが現状である。
【課題を解決するための手段】
【０００８】
前記従来の課題を解決するために、本発明のインターフォン装置は、親機と子機との間で通話を行うインターフォン装置であって、前記インターフォン装置は、音声を入力するマイクと、相手側のマイクから入力された音声や警報音を出力するスピーカーと、操作を行う入力手段と、通話の有無を確認する通話検知手段と、前記通話検知手段により子機側から親機側への通話が確認されなくなってからの経過時間を測定するタイマーと、前記経過時間と比較を行う所定の時間を記憶する記憶手段と、前記経過時間と所定の時間を比較する比較手段を備えており、子機側から親機側への通話が確認されなくなってからの経過時間が前記記憶手段に記憶している所定の時間を超えると、親機側の前記スピーカーから子機側で動きがない（異常発生）旨の報知を行うものである。
【０００９】
これによって本発明は、利用者はインターフォン装置の子機側である浴室などで人が倒れたり、浴槽で眠り込んでしまったりした場合などに、親機側であるリビングや台所の家族などに報知することができる。
【発明の効果】
【００１０】
本発明のインターフォン装置は、インターフォン装置自身に通話の有無を確認する通話検知手段が備えられており、前記通話検知手段により親機との通話や、浴室内でのシャワーの音や桶を置く音などを検出し、それらの音を所定の時間検出しなかった場合に親機側に報知するので、新たに撮像用のカメラや各種センサを設置することなく、浴室内の異常（浴室ないでの動きがないこと）を検出することができる。また、浴室内にカメラを必要としないので、入浴者に圧迫感を与えることなく、浴室内の異常を検出することができる。
【発明を実施するための最良の形態】
【００１１】
第１の発明は、親機と子機との間で通話を行うインターフォン装置であって、前記インターフォン装置は、音声を入力するマイクと、相手側のマイクから入力された音声や警報音を出力するスピーカーと、操作を行う入力手段と、通話の有無を確認する通話検知手段と、前記通話検知手段により子機側から親機側への通話が確認されなくなってからの経過時間を測定するタイマーと、前記経過時間と比較を行う所定の時間を記憶する記憶手段と、前記経過時間と所定の時間を比較する比較手段を有し、子機側から親機側への通話が確認されなくなってからの経過時間と前記記憶手段に記憶している所定の時間の比較し、前記経過時間が所定の時間を超えると、親機側の前記スピーカーから子機側で異常発生の旨の報知を行うことを特徴とするインターフォン装置である。
【００１２】
上記構成、動作によると、前記インターフォン装置に備えられている前記通話検知手段により親機との通話や、浴室内でのシャワーの音や桶を置く音などを検出し、それらの音を所定の時間検出しなかった場合に親機側に報知するので、新たに撮像用のカメラや各種センサを設置することなく、浴室内の異常（浴室ないでの動きがないこと）を検出し親機側に報知することが出来るので、簡易的な遠隔見守り機能を備えたインターフォン装置を実現することができる。また、浴室内にカメラを必要としないので、入浴者に圧迫感を与えることなく、浴室内の異常を検出し親機側に報知することが出来る。
【００１３】
第２の発明は、第１の発明において、タイマーが測定する経過時間は、通話検知手段により子機側から親機側への通話が確認されたときまたは、前記子機側の入力手段が操作されたときは経過時間をリセットすることを特徴とするインターフォン装置である。
【００１４】
上記構成、動作によると、子機側から親機側への通話が確認されなくなってから前記タイマーにより測定している経過時間は、再び子機側から親機側への通話を確認した場合だけでなく、子機側で前記インターフォンの前記入力手段を操作したときも経過時間をリセットし、再び前記タイマーにより０秒より経過時間を測定し始めることで、子機側で前記入力手段を操作したときも入浴者に異常がないことは確実であるので、より正確な時間の測定を行うことが出来る。
【００１５】
第３の発明は、第１の発明、または第２の発明において、インターフォン装置の設定内容を変更する設定内容変更手段を有し、前記設定内容変更手段により、記憶手段に記憶している所定の時間を利用者が設定変更することが可能であることを特徴とするインターフォン装置である。
【００１６】
上記構成、動作によると、利用者によって子機側での異常を検出するまでの時間を自由に変更できるようにすることで、例えば、高齢者などがいる家庭では、異常検出するまでの時間を短く設定するといったように、家族構成などに合わせて異常検出までの時間を設定変更できるので、利用者の家族構成などに合わせたインターフォン装置を実現することが出来る。また、浴室内で倒れていないかなどを検出する目的の他にも、浴槽内で眠り込んでしまうことを防止したいというような場合は、設定時間を長く設定するといった使い方も可能であり、利用者の使用用途に合わせたインターフォン装置を実現することができる。
【００１７】
第４の発明は、第１〜第３いずれか１つの発明において、給湯や風呂の給湯、追いだきを行う燃焼機器を有し、インターフォン装置とは子機は浴室に設置され前記燃焼機器を遠隔操作する浴室リモコンであり、親機は台所やリビングなどに設置され前記燃焼機器を遠隔操作する台所リモコンであることを特徴とするインターフォン装置である。
【００１８】
前記構成、動作によると、前記燃焼機器を遠隔操作する浴室リモコンの機能の一部として通話検知手段により子機側の異常を検出することが可能であるので、利用者は特に意識することなく浴室内の異常を検出することが出来るので利用者の使い勝手がよく、また、新たに撮像用のカメラや各種センサを設置することなく、浴室内の異常を検出し親機側に報知することが出来る。
【００１９】
また、事故の発生しやすい浴室内の異常検出を浴室内にカメラを設置することなく検出し、また浴室内にカメラを必要としないので、入浴者に圧迫感を与えることなく、浴室内の異常を検出し親機側に報知することが出来る。
【００２０】
以下、本発明の実施の形態について、図面を参照しながら説明する。なお、本実施の形態によって本発明が限定されるものではない。
【００２１】
（実施の形態１）
図１は、本発明の第１の実施の形態におけるインターフォン装置の外観図の例を示すものである。
【００２２】
図１において、インターフォン装置の親機１は相手側（インターフォン装置の子機２）から送話されてくる音声や、前記インターフォン装置の親機２のガイダンス音声などを出力するスピーカー３と、音声を入力するマイク４と、インターフォン通話を開始するための入力手段である通話スイッチ５と、前記親機に備えられているその他の入力手段６と、前記インターフォン装置の設定情報やエラー情報などを表示する表示手段７を備えている。
【００２３】
インターフォン装置の子機２も形状や機能が異なる場合もあるが、基本的な構成は親機１と同じものとし説明は省略する。また、伝送線１１によってインターフォン装置１（親機）とインターフォン装置２（子機）が接続されている。
【００２４】
また、図２は、本発明の第１の実施の形態におけるインターフォン装置の構成図の例を示すものである。
【００２５】
図２において、前記インターフォン装置１、２は前記インターフォン装置の動作を制御する制御手段１２と、経過時間と所定の時間を比較する比較手段１３と、前記マイク４から入力された音声や周囲の音の増幅などを行う音声入力手段１４と、前記マイク４から音声が入力されたことを検出するための音声入力検知手段１５と、相手側から送話されてきたことを検知するための受話検知手段１６と、インターフォン装置が送話または受話状態にあることを監視する通話検知手段１７と、前記スピーカー３から音声などを出力する必要がないときは音声出力を消音するためのミュート手段１８と、オーディオアンプなどから構成される相手側か送話されてくる音声などを出力する音声出力手段１９を備えている。
【００２６】
またその他に、前記インターフォン装置の設定情報などを記憶する記憶手段２０と、前記制御手段１２からの信号に応じて時間を測定するタイマー２１と、前記記憶手段２０に記憶している設定情報などを変更する設定内容変更手段２２と、相手側に音声を出力する音声送信手段２３と、相手側から送信されてきた音声を受信する音声受信手段２４を備えている。
【００２７】
以上のように構成されたインターフォン装置において、その動作、作用について図１、図３、図４を用いて説明する。図３は給湯や風呂の給湯、追いだきを行う燃焼機器３１の遠隔操作を行う給湯機リモコンがインターフォン機能を備える場合のインターフォン装置の構成図の例を示す図である。図３は図２に燃焼機器３１を加えたものである。但し、通常のインターフォン機能のみの端末の場合でも発明の効果は変わらない。
【００２８】
ここでは図１においてインターフォン装置の親機１を台所やリビングに設置される台所リモコンであり、インターフォン装置の子機２を浴室に設置される浴室リモコンであるとして、親機と子機の間でインターフォン通話を行う場合について述べる。
【００２９】
まず、親機１または子機２のどちらかが通話スイッチ５を操作すると、伝送線３を通じて相手側にインターフォン通話を開始する情報が送られ、前記親機１、前記子機２のスピーカー３からインターフォン通話を開始する合図であるメロディーを出力する。前記インターフォン装置１、２は通話方法がハンズフリー通話機能でも、浴室リモコン（子機）側の音声、またはその周りの周囲の音をモニターするモニター通話機能でもどちらでも本発明の効果は変わらないが、本実施の形態１ではハンズフリー通話機能の場合を例にして説明する。
【００３０】
図３において、例えば親機側で何か話したとすると、前記マイク４から入力された音声が前記音声入力手段１４などで増幅され、前記音声入力検知手段１５により入力された音声レベルが所定のレベル以上であるならば、音声が入力されたことを前記制御手段１２に出力し、前記通話検知手段１７は親機と子機の間で通話が行われている（この場合は、親機から子機への音声通話）ことを検知する。音声レベルが所定のレベル以上であるかどうかは音圧レベル検知ＩＣなどで実現することができる。このとき前記制御手段１２は、前記通話検知手段１７によりどちらからも送話可能な通話待ち状態であることを確認し、つまり子機側も何も話していない状態であるならば、前記音声送信手段２３により増幅し入力された音声データを変調し子機側に送出する。
【００３１】
一方子機側では、通話検知手段１７によりどちらからも送話可能な通話待ち状態の時に、親機側から音声が入力されると音声受信手段２４で音声データを復調し、受話検知手段１６が親機側からの音声データの受信を検知して制御手段１２に出力し、前記通話検知手段１７は親機と子機の間で通話が行われている（この場合は、親機から子機への音声通話）ことを検知する。受話検知手段１７は例えば、音圧レベル検知ＩＣやトランジスタなどを用いて親機側から音声の入力がされたときに出力を反転させるなどの方法で実現できる。
【００３２】
制御手段１２では音声データ受信の信号を受けて、スピーカーの出力を消音しているミュート手段１８を操作し音声出力手段１９のミュートを解除しスピーカー３から親機側から話している言葉を出力する。
【００３３】
そして親機側で話すのをやめると音声入力検知手段１５は音声の入力がないことを制御手段１２に出力し、前記制御手段１２は音声送信手段２３による出力を停止する。
【００３４】
一方子機側では受話検知手段１６で親機側からの音声信号を検知しないので親機側からの音声入力が停止したことを制御手段１２に出力する。前記制御手段１２はスピーカーからの出力を消音するためミュート手段１８により音声出力手段１９のミュートをオンにする。子機側から親機側にハンズフリー通話する場合もその動作は同じであるので説明は省略する。
【００３５】
そしてどちらからのマイクからも音声入力がない場合は、親機子機どちらからも送話可能な通話待ち状態となっている。このようなハンズフリー通話機能を実現するために、一般的にハンズフリーＩＣとかエコーキャンセラーＩＣと呼ばれている専用ＩＣを用いても良い。
【００３６】
次に、インターフォン装置が子機側の動きがないことを検出して報知するまでの流れを図４を用いて説明する。
【００３７】
まず、前述したように親機１または子機２のどちらかが通話スイッチ５を操作すると、親機と子機とで通話が可能な状態となり通話が開始され、子機側から親機側への通話が確認されなくなってからの経過時間を初期化し（Ｓ１）、経過時間のカウントをスタートし（Ｓ２）、経過時間のカウントアップを始める（Ｓ６）。前記タイマーが経過時間のカウントアップを行うのと同時に、前記通話検知手段で子機側から親機側に通話しているかどうかの通話状態の監視と（Ｓ３）、前記子機側の入力手段により入力の有無の状態を監視する（Ｓ４）。そして子機側から親機側に通話状態となったときは、経過時間のカウントをリセットし再び前記タイマーにより０秒より経過時間を測定し始める（Ｓ５）。
【００３８】
このとき、親機と子機の間で実際に会話しているときはもちろん、子機側の音声入力検知手段１５の検知感度を上げておき、浴室内のシャワーの音や桶を置く音なども検出できるようにしておくことで、実際に親機と子機との間で会話はなくても浴室内の人に異常がないこと、つまり動きがあると判断することができるので、会話と浴室内の物音を区別することなく、どちらの場合も経過時間のカウントをリセットし再び前記タイマーにより０秒より経過時間を測定し始める。
【００３９】
また、子機側の入力手段が操作されたときも、入浴者に異常はないと判断できるので経過時間のカウントをリセットし再び前記タイマーにより０秒より経過時間を測定し始める。
【００４０】
一方、子機側から親機側への通話が確認されずかつ子機側の入力手段の操作も行われない場合はそのまま通話状態と操作手段の入力の状態監視を継続し、それと同時に経過時間のカウントアップも継続して続ける。
【００４１】
また前記記憶手段２０には、子機側の入浴者の動きがなくなった場合に異常が発生した可能性があると判断するための所定の時間を記憶している。ここでは、例えば記憶手段に記憶している所定の時間を１０分と設定していたとすると、前記比較手段１３により前記タイマー２１によりカウントしていた経過時間と前記記憶手段２０に記憶している所定の時間（１０分）を比較し（Ｓ７）、比較した結果経過時間が記憶手段２０に記憶している所定の時間を超えていなければ前述したようにカウントアップを継続して続け、経過時間が所定の時間（１０分）を超えた場合は、例えば１０分以上浴室側で人の動きがなかったと判断し、前記親機、子機両方のスピーカー３から、「浴室の状態を確認してください」など、浴室内で人の動きがない旨の報知音を出力する（Ｓ８）。この他にも、親機側の表示手段７に同様の内容を表示してもよい。
【００４２】
このように、前記インターフォン装置に備えられている前記通話検知手段により親機との通話や、浴室内でのシャワーの音や桶を置く音などを検出し、これらの音が検出しているときは入浴者が浴室内で倒れているなどの異常はないと判断し、反対にそれらの音を所定の時間検出しなかった場合には浴室内で入浴者が倒れている可能性があると判断し、親機側にその旨を報知するので、新たに撮像用のカメラや各種センサを設置することなく、浴室内の異常（浴室ないでの動きがないこと）を検出し親機側に報知することが出来る。
【００４３】
また、浴室内にカメラを必要としないので、入浴者に圧迫感を与えることなく、事故の発生しやすい浴室内の異常検出を親機側に通報することが出来るので、簡易的な遠隔見守り機能を備えたインターフォン装置を実現することができる。
【００４４】
また、子機側から親機側への通話が確認されなくなってから前記タイマーにより測定している経過時間は、再び子機側から親機側への通話を確認した場合だけでなく、子機側で前記インターフォンの前記入力手段を操作したときも経過時間をリセットし、再び前記タイマーにより０秒より経過時間を測定し始めることで、子機側で前記入力手段を操作したときも入浴者に異常がないことは確実であるので、より正確な時間の測定を行うことが出来る。
【００４５】
（実施の形態２）
実施の形態２は、実施の形態１に加えて、記憶手段２０に記憶している子機側の入浴者の動きがなくなった場合に異常が発生した可能性があると判断するための所定の時間を利用者が変更可能な場合についての実施の形態であり、その他の構成、動作は実施の形態１と同じである。
【００４６】
そこで以下では実施の形態２の構成、動作について、実施の形態１との相違点を中心に述べ、その他の構成、動作について実施の形態１と同じものとする。
【００４７】
図５は、利用者によって子機側の入浴者の動きがなくなった場合に異常が発生した可能性があると判断するための所定の時間を設定変更する画面の例の一例である。利用者が前記インターフォン装置の入力手段を使って所定の操作を行うことで、図５に示すような設定画面を表示手段７に表示する。前記表示手段７はタッチパネルを備えており前記表示手段７上に設置されているボタンのイラストなどを押すことで直接入力を行うことができる。もちろんタッチパネルが設けられていないようなインターフォン装置の場合でも、インターフォン装置に設けれている入力手段を用いて設定を変更することが可能である。
【００４８】
表示手段７上に設けられている入力手段６の矢印ボタンを操作し設定値を変更し、最後に確定ボタンを押すと制御手段１２の設定内容変更手段２２は前記記憶手段２０に記憶している子機側の入浴者の動きがなくなった場合に異常が発生した可能性があると判断するための所定の時間を変更し記憶する。
【００４９】
例えば、高齢者などを家族に持つ利用者の場合、設定時間を短く設定変更することで、より安全性を高めることができる。
【００５０】
一方、設定時間を長めに設定変更することで、浴槽で眠り込んでしまうことを防止するといったような使い方も可能となる。
【００５１】
このように、例えば、高齢者などがいる家庭では、異常検出するまでの時間を短く設定し異常に早く気づくようにするといったように、家族構成などに合わせて異常検出までの時間を設定変更できるので、利用者の家族構成などに合わせたインターフォン装置を実現することが出来る。
【００５２】
また、浴室内で倒れていないかなどを検出する目的の他にも、浴槽内で眠り込んでしまうことを防止したいというような場合は、設定時間を長く設定するといった使い方も可能であり、利用者の使用用途に合わせたインターフォン装置を実現することができる。
【産業上の利用可能性】
【００５３】
本発明のインターフォン装置は、親機−子機間の通話状態及び子機側の入力手段の入力有無から子機側で人の動きがないことを検出するので、浴室やトイレなど比較的事故の発生しやすい場所の見守り機能を備えるインターフォン装置又はその他のインターフォン機能付リモコンとしての用途に応用できる。
【図面の簡単な説明】
【００５４】
【図１】第１の実施の形態におけるインターフォン装置の外観図
【図２】第１の実施の形態におけるインターフォン装置の構成図
【図３】第１の実施の形態における給湯機リモコンがインターフォン機能を備える場合のインターフォン装置の構成図
【図４】第１の実施の形態におけるフローチャート
【図５】第２の実施の形態における設定値を変更する画面を示す図
【符号の説明】
【００５５】
１  インターフォン装置（親機）
２  インターフォン装置（子機）
３  スピーカー
４  マイク
５  入力手段（通話スイッチ）
６  入力手段
７  表示手段
１３  比較手段
１７  通話検知手段
２０  記憶手段
２１  タイマー
２２  設定内容変更手段
【図１】
2006011500.tif 000003
【図２】
2006011500.tif 000004
【図３】
2006011500.tif 000005
【図４】
2006011500.tif 000006
【図５】
2006011500.tif 000007